(57)【要約】【課題】耕耘用ロータリの上方を覆うロータリカバーの後端部にシート状後方カバーを設けた農作業機において、後方カバーが係止部によって捲り上げた状態で係止固定される際に、後方シートの折り曲げた内側部分に飛散した泥土等の落ちを良くすることを課題としている。【解決手段】本発明は、耕耘爪が軸装されたロータリ軸１７と、耕耘爪及びロータリ軸１７の上方を覆うロータリカバー１１と、ロータリカバー１１の後端部から吊り下げ支持されたシート状の後方カバー１３，１４とを備え、後方カバー１３，１４の中途部又は下端部を捲り上げた状態で後方カバー１３，１４を係止させる係止部１３ａ，１３ｃ，１４ａ，１４ｃ，２９，３１を設けた農作業機において、後方カバー１３，１４の中途部又は下端部を鉛直方向に対して斜め方向に捲り上げた状態で後方カバー１３，１４が係止されるように係止部１３ａ，１３ｃ，１４ａ，１４ｃ，２９，３１を配置する。【選択図】図３
2009213380.tif 000002
【特許請求の範囲】
【請求項１】
耕耘爪が軸装されたロータリ軸（１７）と、耕耘爪及びロータリ軸（１７）の上方を覆うロータリカバー（１１）と、ロータリカバー（１１）の後端部から吊り下げ支持されたシート状の後方カバー（１３），（１４）とを備え、後方カバー（１３），（１４）の中途部又は下端部を捲り上げた状態で後方カバー（１３），（１４）を係止させる係止部（１３ａ），（１３ｃ），（１４ａ），（１４ｃ），（２９），（３１）を設けた農作業機において、後方カバー（１３），（１４）の中途部又は下端部を鉛直方向に対して斜め方向に捲り上げた状態で後方カバー（１３），（１４）が係止されるように係止部（１３ａ），（１３ｃ），（１４ａ），（１４ｃ），（２９），（３１）を配置した農作業機。
【請求項２】
ロータリカバー（１１）を上下揺動調節可能に機体側に支持した請求項１の農作業機。
【発明の詳細な説明】
【技術分野】
【０００１】
この発明は、ロータリ軸に設けられた耕耘爪により圃場における耕耘作業を行う農作業機に関する。
【背景技術】
【０００２】
耕耘爪が軸装されたロータリ軸と、耕耘爪及びロータリ軸の上方を覆うロータリカバーと、ロータリカバーの後端部から吊り下げ支持されたシート状の後方カバーとを備え、後方カバーの中途部又は下端部を捲り上げた状態で後方カバーを係止させる係止部を設けることにより、耕耘作業時における後方への耕耘土等の飛散を防止するとともに、後方カバーの対地高さを調整可能な特許文献１に示す農作業機が公知になっている。
【特許文献１】特開２００６−５０９８４号公報
【発明の開示】
【発明が解決しようとする課題】
【０００３】
しかし、上記文献の農作業機は、後方カバーの中途部又は下端部が鉛直方向に捲り上げられて折り曲げ部分が水平な状態になるため、耕耘作業中に後方カバーの捲り上げた内側部分に圃場の泥土等が飛散等した場合に、捲り上げた内側部分に乗った泥土等の重みによりシート状の後方カバーが破れることがあるという課題がある他、泥土等により後方カバーが汚れるという課題もある。
本発明は、上記課題を解決し、耕耘爪及び該耕耘爪が設けられるロータリ軸の上方を覆うロータリカバーの後端部に、シート状の後方カバーを設けた農作業機において、後方カバーが係止部によって捲り上げた状態で係止固定される際に、後方シート内側の折り曲げ部分に飛散した泥土落ちを良くすることを目的とする。
【課題を解決するための手段】
【０００４】
上記課題を解決するため本発明の農作業機は、第１に、耕耘爪が軸装されたロータリ軸１７と、耕耘爪及びロータリ軸１７の上方を覆うロータリカバー１１と、ロータリカバー１１の後端部から吊り下げ支持されたシート状の後方カバー１３，１４とを備え、後方カバー１３，１４の中途部又は下端部を捲り上げた状態で後方カバー１３，１４を係止させる係止部１３ａ，１３ｃ，１４ａ，１４ｃ，２９，３１を設けた農作業機において、後方カバー１３，１４の中途部又は下端部を鉛直方向に対して斜め方向に捲り上げた状態で後方カバー１３，１４が係止されるように係止部１３ａ，１３ｃ，１４ａ，１４ｃ，２９，３１を配置したことを特徴としている。
【０００５】
第２に、ロータリカバー１１を上下揺動調節可能に機体側に支持したことを特徴としている。
【発明の効果】
【０００６】
以上のように構成される本発明の農作業機によれば、後方カバーの中途部又は下端部が鉛直方向に対して斜め方向に捲り上げられ、これに伴い折り曲げ部分も下方に傾斜した状態になる。このことにより、耕耘作業中に後方カバーの捲り上げた内側部分に圃場の泥土等が飛散等することがあっても、折り曲げ部分の傾斜によって後方カバーから泥土等が自然に滑り落ちるため、捲り上げた内側部分に乗った泥土等の重みによりシート状の後方カバーが破れることが防止できるとともに、後方カバーの泥土等による汚れも防止できるという効果がある。
【０００７】
また、ロータリカバーを上下揺動調節可能に機体側に支持したため、圃場の泥土等の状態により、圃場の後方カバーの折り曲げ部分の傾斜を調節することが可能になるという効果がある。
【発明を実施するための最良の形態】
【０００８】
図１，２は、本発明の農作業機を適用した歩行型管理機の側面図及び要部背面図である。本歩行型管理機は、内部にトランスミッション（図示しない）が設けられるとともに機体フレームの一部を構成する側面視への字状のミッションケース１と、ミッションケース１前方（進行方向）斜め上方に位置するようにエンジンフレーム２を介してミッションケースに固定設置されるエンジン３と、エンジン３の動力をトランスミッションに伝動するベルト（図示しない）及びプーリ（図示しない）等が内部に設置された伝動カバー４（伝動部，ベルトカバー）と、左右一対の車輪６（走行部）と、耕耘作業を行う左右方向のロータリ７と、ロータリ７の耕耘深さ等の調整を行う尾輪８と、機体の操向操作を行うハンドル９と、ロータリ７の上方を覆うロータリカバー１１と、ロータリ７の両側方を覆う左右一対のサイドカバー１２と、ロータリ７の後方を覆うシート状の後方カバー１３，１４とを備えている。
【０００９】
上記左右の車輪６はミッションケース１の前側下端部から左右に突出した状態で回転駆動可能に支持される左右方向の車軸１６の対応する左右の端部にそれぞれ取付固定されているため、車輪６が車軸１６と一体で前後回転駆動される。
【００１０】
上記ロータリ７は、主に、ミッションケース１の後側下端部から左右に突出した状態で、回転駆動可能に支持される左右方向のロータリ軸１７と、ロータリ軸１７に所定ピッチで設置（軸装）されてロータリ軸１７と一体回転する耕耘爪（図示しない）とにより構成されている。
【００１１】
上記ロータリカバー１１は、左右一対の鉄製のカバープレート１８，１８からなり、ミッションケース１から後方に延設された前後方向のカバーフレーム１９に支持されている。具体的には、各カバープレート１８の内側端部が、カバーフレーム１９の左右の対応する各側部に、上下揺動（左右揺動）自在に取付支持されている。
【００１２】
カバーフレーム１９の前後方向中央部には、板状の固定片２１が上方に向かって突設されている。背面視カバーフレーム１９の揺動支点に中心が位置する円弧状の板状部材である左右一対の固定アーム２２によって、対応する各カバープレート１８の中途部と固定片２１とを連結することにより、各カバープレート１８がカバーフレーム１９に対して（機体フレームに対して）所定揺動角で係止固定される。
【００１３】
具体的には、固定アーム２２の固定片２１から遠い側の端部（基端部）がカバープレート１８の中途部に上下揺動（左右揺動）自在に取付支持される一方で、固定アーム２２の中途部から先端部に亘る箇所に複数の固定溝２２ａが等ピッチで互いが連接されるように穿設されている。この固定溝２２ａの何れかに固定ボルト２３を挿通させた状態で、この固定ボルト２３を固定片２１に係脱自在に係合固定させることにより、カバープレート１８が上下揺動調整可能にカバーフレーム１９に対して係止固定される。なお、左右のカバープレート１８は、単一の固定ボルト２３によって、カバーフレーム１８に対して固定される。
【００１４】
上記サイドカバー１２は、ロータリカバー１１の前後方向の外側（機体外側）端縁部から下方に向かって延設される板状の鉄板であり、ロータリ７の側方を覆っている。
【００１５】
上記後方カバー１３，１４は４枚用意され、各後方カバー１３，１４は弾性的又はフレキシブルに変形する上下方向に長いシート状部材（ゴムシート，樹脂製シート，シート状弾性部材）からなり、ロータリカバー１１の後端部から吊り下げ支持される。４枚の後方カバー１３，１４は隣接する後方カバー１３，１４同士がラップするように左右方向に並列配置される。
【００１６】
上記ハンドル９は、左右一対で設けられており、機体フレームの上部から後方斜め上方に向かって延設されている。ハンドル９の先端部には、グリップ２４が形成されるとともにエンジン３からの動力伝動の入切操作を行うクラッチレバー２６等が設けられている。
【００１７】
上記尾輪８は、上下方向の支持ロッド２７の下端部に前後回転自在に支持され、この支持ロッド２７はカバーフレーム１９後端部に軸方向に移動可能に支持されている。そして、支持ロッド２７の上端部に設けられた昇降ハンドル２８を回転操作することにより、支持ロッド２７が上下方向に移動調節され、カバーフレーム１９に対する（機体フレームに対する）尾輪８の相対高さが変更される。
【００１８】
上記歩行型管理機によれば、作業者は、機体後方から左右のグリップ２４を把持して機体の操向操作を行うとともに、尾輪８及び左右の車輪６を圃場面に接地させながら、ロータリ７により圃場の耕耘作業を行う。その際、前述した手段により、尾輪８の高さ調節を行うことにより、耕耘深さの調整を行うことが可能である。また、ロータリ７による耕耘作業の際には、ロータカバー１１、サイドカバー１２及び後方カバー１３，１４によって、ロータリ７が囲繞されているため、泥土等の飛散が防止される。
【００１９】
次に、図２乃至４に基づき、後方カバーの構成について詳述する。
４枚の後方カバー１３，１３，１４，１４の内、中央側２枚の後方カバー１３，１３（中央カバー，中央後方カバー）は、鉛直方向が長手方向になる長方形状の上側２頂点箇所の一方が切欠き状に形成された略五角形状に成形されており、水平な上端辺が水平な下端辺よりも短くなっている。
【００２０】
そして、左右対称に配置された２枚の中央カバー１３，１３の下端辺部及び左右両端辺部が略一致するように、２枚の中央カバー１３，１３を重ね合わせ、左側中央カバー１３の上端辺部を左側カバープレート１８後端部に、右側中央カバー１３の上端辺部を右側カバープレート１８後端部に、それぞれ吊り下げ支持している。
【００２１】
すなわち、手前側（後方側）の中央カバー１３の切欠き箇所を介して、奥側の中央カバー１３における上端辺及びその近傍箇所が露出している。また、中央カバー１３の左右方向中心が機体の左右方向中心付近に位置しており、中央カバー１３の左右端は左右のカバープレート１８，１８の左右方向中心付近にそれぞれ位置している。
【００２２】
４枚の後方カバー１３，１３，１４，１４の内、端側２枚の後方カバー１４，１４（端側カバー，端側後方カバー）は鉛直方向が長手方向になる長方形状に成形され、左端側カバー１４の上端辺部が左側カバープレート１８後端部に、右端側カバー１４の上端辺部が右側カバープレート１８後端部に、それぞれ吊り下げ支持されている。上記２枚の端側カバー１４，１４は、中央カバー１３と比較して上下長が略同一且つ左右幅が短くなっており、各端側カバー１４の中央カバー隣接側の辺縁部が、背面視で隣接する中央カバーによって、覆われている。
【００２３】
上記４枚のシート状後方カバー１３，１３，１４，１４は、耕耘作業時に圃場面に近接又は接地するように、上下長が設定されているため、作業者の足元への泥土等の飛散も効率的に抑制される。くわえて、隣接する後方カバー１３，１４同士が重なり合うように、後方カバー１３，１４が配置されているため、複数後方カバー１３，１４を設けた場合に、後方カバー１３，１４間の隙間から後方に泥土等が飛散することが効率的に防止される。
【００２４】
そして、各後方カバー１３，１４における下側の２つの各頂点部付近には係止孔１３ａ，１３ｂ，１４ａ，１４ｂ（係止部）が穿設される他（図３参照）、各中央カバー１３における中央付近及び各端側カバー１４における下部左右方向中心付近にも係止孔１３ｃ，１４ｃ（係止部）が穿設されている。一方、各カバープレート１８上面の後端部における左右方向中心箇所と、機体側部側箇所とには、上方に向かって係止ピン２９，３１（係止部）がそれぞれ突設されている。
【００２５】
図３は、後方カバーを捲り上げた状態の本歩行型管理機の要部背面図である。カバープレート１８後端部の左右方向中心付近に配置された係止ピン２９（中央カバー用係止ピン）に、そのカバープレート１８に支持される中央カバー１８の上記係止ピン２９に対して対角線状に位置する下端側係合孔１３ａを、挿通係止させることにより、各中央カバー１３は、下端部が鉛直方向に対して外側斜め方向に捲り上げられて（折り返されて）裏面側が露出した状態で、ロータリカバー１１に（機体側に）係止（姿勢固定）される。
【００２６】
この際、各中央カバー１８の折り曲げ部分Ｐ１（屈曲部分，湾曲部分）は背面視で外側に向かって下降傾斜した状態になる。くわえて、この際、前述したように各中央カバー１３の上端部の一方側頂点箇所が切欠き状に形成されているため、左右の中央カバー１３，１３同士が互いに干渉することが抑制される。
【００２７】
なお、中央カバー用係止ピン２９に、そのカバープレート１８に支持される中央カバー１３の中央付近に形成された係合孔１３ｃを、挿通係止せてもよい。この場合には、各中央カバー１３は、中途部が鉛直方向に対して外側斜め方向に捲り上げられた状態で、ロータリカバー１１に係止される。このようにして、捲り上げ状態の中央カバー１３の対地高さ（圃場面からの離間距離）を変更することが可能である。
【００２８】
一方、カバープレート１８後端部の機体側部側箇所に突設された係止ピン３１（端側カバー用係止ピン）に、そのカバープレート１８に支持される端側カバー１４の上記係止ピン３１に対して対角線状に位置する下端側係合孔１４ａを、挿通係止させることにより、各端側カバー１４は、下端部が鉛直方向に対して外側斜め方向に捲り上げられて裏面側が露出した状態で、ロータリカバー１１に係止される。
【００２９】
この際、各端側カバー１４の折り曲げ部分Ｐ２（屈曲部分，湾曲部分）は背面視で外側に向かって斜め下方に傾斜した状態になる。くわえて、この際、前述したように、端側カバー１４は隣接する中央カバー１３と一部分のみが重なり合っているため、端側カバー１４とその端側カバー１４に隣接する中央カバー１３とが互いに干渉することが抑制される。
【００３０】
なお、端側カバー用係止ピン３１に、そのカバープレート１８に支持される端側バー１４の左右方向中央付近に形成された係合孔１４ｃを、挿通係止せてもよい。この場合には、各端側カバー１４は、中途部が鉛直方向に対して外側斜め方向に捲り上げられた状態で、ロータリカバー１１に係止される。このようにして、捲り上げ状態の端側カバー１４の対地高さを変更することが可能である。
【００３１】
図４は、後方カバーを捲り上げるとともにロータリカバーを上方揺動させた状態の本歩行型管理機の要部背面図である。カバーフレーム１９に対して（機体側に対して）ロータリカバー１１を上下揺動調整（カバープレート１８を上下揺動調整）することにより、捲り上げ状態の後方カバー１３，１４における屈曲部分Ｐ１，Ｐ２の下降傾斜角を変更することができる。なお、この際、各後方カバー１３，１４の捲り上げ部分がその後方カバー１３，１４を支持している側に設置された係止ピン２９，３１に係止されるため、後方カバー１３，１４の捲り上げ係止構造がカバープレート１８を上下揺動させる上で邪魔になることは無い。
【図面の簡単な説明】
【００３２】
【図１】本発明の農作業機を適用した歩行型管理機の側面図である
【図２】本発明の農作業機を適用した歩行型管理機の要部背面図である
【図３】後方カバーを捲り上げた状態の本歩行型管理機の要部背面図である。
【図４】後方カバーを捲り上げるとともにロータリカバーを上方揺動させた状態の本歩行型管理機の要部背面図である。
【符号の説明】
【００３３】
１１  ロータリカバー
１３  中央カバー（後方カバー，中央後方カバー）
１３ａ  係止孔（係止部）
１３ｃ  係止孔（係止部）
１４  端側カバー（後方カバー，端側後方カバー）
１４ａ  係止孔（係止部）
１４ｃ  係止孔（係止部）
１７  ロータリ軸
２９  中央カバー用係止ピン（係止部，係止ピン）
３１  端側カバー用係止ピン（係止部，係止ピン）
【図１】
2009213380.tif 000003
【図２】
2009213380.tif 000004
【図３】
2009213380.tif 000005
【図４】
2009213380.tif 000006